(57)【要約】【課題】電気接点間で生じるノイズの影響を抑止することが可能な表示用アクセサリを提供する。【解決手段】表示用アクセサリは、カメラに着脱可能な表示用アクセサリであって、カメラから映像信号が入力される第１映像信号入力端子と、カメラから第１の電圧が供給される第１電源端子と、表示用アクセサリからカメラに対して映像信号の送信開始および送信停止の指示を表す指示信号を出力する映像指示信号端子と、映像信号に対応する基準電位を提供する第１接地端子および第２接地端子と、を含む複数の端子を備え、複数の端子は、第１面の配列方向において、映像指示信号端子、第１電源端子、第１接地端子、第１映像信号入力端子、第２接地端子の順に並んで配置される。【選択図】図１
2015076629.tif 000002
【特許請求の範囲】
【請求項１】
カメラに着脱可能な表示用アクセサリであって、
前記カメラから映像信号が入力される第１映像信号入力端子と、前記カメラから第１の電圧が供給される第１電源端子と、前記表示用アクセサリから前記カメラに対して前記映像信号の送信開始および送信停止の指示を表す指示信号を出力する映像指示信号端子と、前記映像信号に対応する基準電位を提供する第１接地端子および第２接地端子と、を含む複数の端子を備え、
前記複数の端子は、第１面の配列方向において、前記映像指示信号端子、前記第１電源端子、前記第１接地端子、前記第１映像信号入力端子、前記第２接地端子の順に並んで配置されることを特徴とする表示用アクセサリ。
【請求項２】
請求項１に記載の表示用アクセサリにおいて、
前記複数の端子は、前記カメラに出力信号を出力する信号出力端子と、前記出力信号に対応する基準電位を提供する第３接地端子および第４接地端子と、をさらに含み、
前記複数の端子は、前記第１面とは異なる第２面の前記配列方向において、前記第３接地端子、前記信号出力端子、前記第４接地端子の順に並んで配置され、
前記第３接地端子は、前記第１接地端子と前記第１映像信号入力端子との間隙に対向配置され、
前記第４接地端子は、前記第１映像信号入力端子と前記２接地端子との間隙に対向配置されることを特徴とする表示用アクセサリ。
【請求項３】
請求項２に記載の表示用アクセサリにおいて、
前記複数の端子は、前記カメラから前記第１の電圧とは異なる第２の電圧が供給される第２電源端子をさらに含み、
前記複数の端子は、前記第２面の前記配列方向において、前記第２電源端子、前記第３接地端子、前記信号出力端子、前記第４接地端子の順に並んで配置され、
前記第１映像信号入力端子は、前記第１面の前記配列方向の一端側に配置され、
前記映像指示信号端子および前記第１電源端子は、前記第１面の前記配列方向において他端側に配置され、
前記第２電源端子は、前記第２面の前記配列方向において他端側に配置されることを特徴とする表示用アクセサリ。
【請求項４】
請求項３に記載の表示用アクセサリにおいて、
前記複数の端子は、前記映像指示信号端子、前記第１電源端子、前記第１接地端子、前記映像信号入力端子、および前記第２接地端子が前記第一面の前記配列方向に順に並んで配列され、前記第２電源端子、前記第３接地端子、前記信号出力端子、および前記第４接地端子が前記第２面の前記配列方向に順に並んで配置されることを特徴とする表示用アクセサリ。
【請求項５】
請求項４に記載の表示用アクセサリにおいて、
前記複数の端子は、前記第１映像信号入力端子とは異なり、前記カメラから映像信号が入力される第２映像信号入力端子と、前記映像信号に対応する前記基準電位を提供する第５接地端子と、をさらに含み、
前記複数の端子は、前記第１面の前記配列方向において、前記映像指示信号端子、前記第１電源端子、前記第５接地端子、前記第５接地端子、前記第２映像信号入力端子、前記第１接地端子、前記第１映像信号入力端子、前記第２接地端子の順に並んで配置されることを特徴とする表示用アクセサリ。
【請求項６】
請求項５に記載の表示用アクセサリにおいて、
前記複数の端子は、前記表示用アクセサリが前記カメラに装着されたか否かを示す装着検出信号を前記カメラに出力する装着検出端子をさらに含み、
前記複数の端子は、前記第２面の前記配列方向において、前記第２電源端子、前記装着検出端子、前記第３接地端子、前記信号出力端子、前記第４接地端子の順に並んで配置され、
前記装着検出端子は、前記第２映像信号入力端子に対向配置されることを特徴とする表示用アクセサリ。
【請求項７】
請求項６に記載の表示用アクセサリにおいて、
前記第１映像信号入力端子および前記第２映像信号入力端子は、第１差動映像信号入力端子と第２差動映像信号入力端子とを含むことを特徴とする表示用アクセサリ。
【請求項８】
表示用アクセサリを着脱可能なカメラにおいて、
前記カメラから映像信号を前記表示用アクセサリに出力する映像信号出力端子と、前記カメラから第１の電圧を前記表示用アクセサリに供給する第１電源端子と、前記表示用アクセサリから前記映像信号の送信開始および送信停止の指示を表す指示信号が入力される映像指示信号端子と、前記映像信号に対応する基準電位が提供される第１接地端子および第２接地端子と含む複数の端子を備え、
前記複数の端子は、第１面の配列方向において、前記映像指示信号端子、前記第１電源端子、前記第１接地端子、前記映像信号入力端子、前記第２接地端子の順に並んで配置されることを特徴とするカメラ。
【請求項９】
請求項８に記載のカメラにおいて、
前記複数の端子は、前記表示用アクセサリから入力信号を入力する信号入力端子と、前記入力信号に対応する基準電位を提供する第３接地端子および第４接地端子と、前記表示用アクセサリに対して前記第１の電圧とは異なる第２の電圧を供給する第２電源端子と、前記表示用アクセサリが前記カメラに装着されたか否かを示す装着検出信号を前記表示用アクセサリから提供される装着検出端子と、をさらに含み、
前記複数の端子は、前記第１面の前記配列方向において、前記映像指示信号端子、前記第１電源端子、前記第１接地端子、前記映像信号出力端子、および前記第２接地端子が順に並んで配置され、
前記複数の端子は、前記第１面とは異なる第２面の前記配列方向において、前記第２電源端子、前記装着検出端子、前記第３接地端子、前記信号入力端子、および前記第４接地端子が順に並んで配置されることを特徴とするカメラ。
【請求項１０】
カメラに着脱可能な表示用アクセサリを着脱可能なアクセサリーシューにおいて、
前記カメラから映像信号を前記表示用アクセサリに出力する映像信号出力端子と、前記カメラから第１の電圧を前記表示用アクセサリに供給する第１電源端子と、前記表示用アクセサリから前記映像信号の送信開始および送信停止の指示を表す指示信号が入力される映像指示信号端子と、前記映像信号に対応する基準電位が提供される第１接地端子および第２接地端子と含む複数の端子を備え、
前記複数の端子は、第１面の配列方向において、前記映像指示信号端子、前記第１電源端子、前記第１接地端子、前記映像信号出力端子、前記第２接地端子の順に並んで配置されることを特徴とするアクセサリーシュー。
【請求項１１】
請求項１０に記載のアクセサリーシューにおいて、
前記複数の端子は、前記第１面の前記配列方向において、前記表示用アクセサリから入力信号を入力する信号入力端子と、前記入力信号に対応する基準電位を提供する第３接地端子および第４接地端子と、前記表示用アクセサリに対して前記第１の電圧とは異なる第２の電圧を供給する第２電源端子と、前記表示用アクセサリが前記カメラに装着されたか否かを示す装着検出信号を前記表示用アクセサリから提供される装着検出端子と、をさらに含み、
前記複数の端子は、前記第１面の前記配列方向において、前記映像指示信号端子、前記第１電源端子、前記第１接地端子、前記映像信号出力端子、および前記第２接地端子が順に並んで配列され、
前記複数の端子は、前記第１面とは異なる第２面の前記配列方向において、前記第２電源端子、前記装着検出端子、前記第３接地端子、前記信号入力端子、および前記第４接地端子が順に並んで配置されることを特徴とするアクセサリーシュー。
【請求項１２】
表示用アクセサリを着脱可能なカメラに装着可能なコネクタにおいて、
前記カメラから映像信号が入力される映像信号入力端子と、前記カメラから第１の電圧が供給される第１電源端子と、前記カメラに前記映像信号の送信開始および送信停止の指示を表す指示信号を出力する映像指示信号端子と、前記映像信号に対応する基準電位を提供する第１接地端子および第２接地端子と含む複数の端子を備え、
前記複数の端子は、第１面の配列方向において、前記映像指示信号端子、前記第１電源端子、前記第１接地端子、前記映像信号入力端子、前記第２接地端子の順に並んで配置されることを特徴とするコネクタ。
【請求項１３】
請求項１２に記載のコネクタにおいて、
前記複数の端子は、前記カメラに出力信号を出力する信号出力端子と、前記出力信号に対応する基準電位を提供する第３接地端子および第４接地端子と、前記カメラから前記第１の電圧とは異なる第２の電圧が供給される第２電源端子と、前記表示用アクセサリが前記カメラに装着されたか否かを示す装着検出信号を前記カメラに出力する装着検出端子と、をさらに含み、
前記複数の端子は、前記第１面の前記配列方向において、前記映像指示信号端子、前記第１電源端子、前記第１接地端子、前記映像信号入力端子、および前記第２接地端子が順に並んで配列され、
前記複数の端子は、前記第１面とは異なる第２面の前記配列方向において、前記第２電源端子、前記装着検出端子、前記第３接地端子、前記信号出力端子、および前記第４接地端子が順に並んで配置されることを特徴とするコネクタ。
【発明の詳細な説明】
【技術分野】
【０００１】
本発明は、表示用アクセサリ、カメラ、アクセサリーシュー、及びコネクタに関する。
【背景技術】
【０００２】
従来、電子ビューファインダーユニットなど、カメラ本体に装着可能な表示用アクセサリが知られている。例えば特許文献１には、外部ストロボを取り付けるアクセサリーシュー部に装着可能な電子ビューファインダーが記載されている。
【先行技術文献】
【特許文献】
【０００３】
【特許文献１】特開２００８−１９９３１８号公報
【発明の概要】
【発明が解決しようとする課題】
【０００４】
従来の表示用アクセサリには、限られた範囲に電気接点を配置しなければならず、電気接点間で生じるノイズの影響が大きいという問題があった。
【課題を解決するための手段】
【０００５】
請求項１に記載の表示用アクセサリは、カメラに着脱可能な表示用アクセサリであって、前記カメラから映像信号が入力される第１映像信号入力端子と、前記カメラから第１の電圧が供給される第１電源端子と、前記表示用アクセサリから前記カメラに対して前記映像信号の送信開始および送信停止の指示を表す指示信号を出力する映像指示信号端子と、前記映像信号に対応する基準電位を提供する第１接地端子および第２接地端子と、を含む複数の端子を備え、前記複数の端子は、第１面の配列方向において、前記映像指示信号端子、前記第１電源端子、前記第１接地端子、前記第１映像信号入力端子、前記第２接地端子の順に並んで配置されることを特徴とする。
請求項８に記載のカメラは、表示用アクセサリを着脱可能なカメラにおいて、前記カメラから映像信号を前記表示用アクセサリに出力する映像信号出力端子と、前記カメラから第１の電圧を前記表示用アクセサリに供給する第１電源端子と、前記表示用アクセサリから前記映像信号の送信開始および送信停止の指示を表す指示信号が入力される映像指示信号端子と、前記映像信号に対応する基準電位が提供される第１接地端子および第２接地端子と含む複数の端子を備え、前記複数の端子は、第１面の配列方向において、前記映像指示信号端子、前記第１電源端子、前記第１接地端子、前記映像信号入力端子、前記第２接地端子の順に並んで配置されることを特徴とする。
請求項１０に記載のアクセサリーシューは、カメラに着脱可能な表示用アクセサリを着脱可能なアクセサリーシューにおいて、前記カメラから映像信号を前記表示用アクセサリに出力する映像信号出力端子と、前記カメラから第１の電圧を前記表示用アクセサリに供給する第１電源端子と、前記表示用アクセサリから前記映像信号の送信開始および送信停止の指示を表す指示信号が入力される映像指示信号端子と、前記映像信号に対応する基準電位が提供される第１接地端子および第２接地端子と含む複数の端子を備え、前記複数の端子は、第１面の配列方向において、前記映像指示信号端子、前記第１電源端子、前記第１接地端子、前記映像信号出力端子、前記第２接地端子の順に並んで配置されることを特徴とする。
請求項１２に記載のコネクタは、表示用アクセサリを着脱可能なカメラに装着可能なコネクタにおいて、前記カメラから映像信号が入力される映像信号入力端子と、前記カメラから第１の電圧が供給される第１電源端子と、前記カメラに前記映像信号の送信開始および送信停止の指示を表す指示信号を出力する映像指示信号端子と、前記映像信号に対応する基準電位を提供する第１接地端子および第２接地端子と含む複数の端子を備え、前記複数の端子は、第１面の配列方向において、前記映像指示信号端子、前記第１電源端子、前記第１接地端子、前記映像信号入力端子、前記第２接地端子の順に並んで配置されることを特徴とする。
【発明の効果】
【０００６】
本発明によれば、電気接点間で生じるノイズの影響を抑止することができる。
【図面の簡単な説明】
【０００７】
【図１】本発明を適用したレンズ交換式のカメラシステムを示した斜視図である。
【図２】本発明を適用したレンズ交換式のカメラシステムを示した斜視図である。
【図３】カメラボディ１００とアクセサリ３００の構成を模式的に示すブロック図である。
【図４】シュー座１０６の詳細な構成を示す図である。
【図５】コネクタ３０１の斜視図である。
【図６】挿入部３２２の断面を模式的に示す図である。
【発明を実施するための形態】
【０００８】
（第１の実施の形態）
以下、本発明の第１の実施の形態に係るレンズ交換式のデジタルカメラについて説明する。なお、以下の説明では本発明に特に関係する箇所について述べ、それ以外の箇所については図示と説明を省略する。
【０００９】
図１および図２は、本発明を適用したレンズ交換式のカメラシステムを示した斜視図である。カメラシステム１は、カメラボディ１００と、カメラボディ１００に着脱可能な交換レンズ２００と、カメラボディ１００に着脱可能なアクセサリ３００とから構成される。
【００１０】
カメラボディ１００の筐体前面１０には、交換レンズ２００が着脱可能に取り付けられるボディ側マウント部１０１が設けられている。交換レンズ２００には、ボディ側マウント部１０１に対応する、カメラボディ１００が着脱可能に取り付けられるレンズ側マウント部２０１が設けられている。
【００１１】
カメラボディ１００内のボディ側マウント部１０１後方には、例えばＣＭＯＳやＣＣＤなどの撮像素子１０２が設けられている。カメラボディ１００の筐体上面２０には、レリーズスイッチ１０３が設けられている。カメラボディ１００の筐体後面３０には、種々のボタン１０４が設けられている。ユーザはレリーズスイッチ１０３やボタン１０４等の入力装置を用いて、カメラボディ１００に撮影指示や撮影条件の設定指示等を入力する。
【００１２】
カメラボディ１００の筐体後面３０には、背面モニタ１０５が設けられている。背面モニタ１０５は、例えば液晶ディスプレイ等を用いた表示装置である。背面モニタ１０５は、例えば被写体像のライブビュー表示や、撮影設定のメニュー表示等を行う。
【００１３】
カメラボディ１００の筐体上面２０には、アクセサリ３００が着脱可能に取り付けられるアクセサリーシュー（以下、シュー座１０６）が設けられている。アクセサリ３００には、シュー座１０６に対応する、カメラボディ１００が着脱可能に取り付けられるコネクタ３０１が設けられている。コネクタ３０１は、カメラボディ１００のシュー座１０６に対して着脱可能である。
【００１４】
アクセサリ３００は、いわゆる電子ビューファインダー（ＥＶＦ）機能を提供する。アクセサリ３００の背面４０には、ファインダー窓３０２が設けられている。アクセサリ３００内部には、液晶パネル３０３が設けられている。ユーザは、ファインダー窓３０２を覗くことにより、液晶パネル３０３に表示された映像を視認することができる。
【００１５】
ファインダー窓３０２の近傍には、近接センサ３１６が設けられている。近接センサ３１６は、ファインダー窓３０２にユーザの顔が近接していること、すなわち、ユーザがファインダー窓３０２を覗いていることを検知する。近接センサ３１６の検知結果は、液晶パネル３０３と背面モニタ１０５のどちらにライブビュー表示等を行うかを決定するために用いられる。
【００１６】
カメラボディ１００にアクセサリ３００を装着すると、通常は背面モニタ１０５に表示される画面を、アクセサリ３００の液晶パネル３０３に表示することができる。例えば、いわゆるライブビューやメニュー画面は、通常は背面モニタ１０５に表示されるが、アクセサリ３００の液晶パネル３０３に表示先を切り替えることができる。背面モニタ１０５と液晶パネル３０３は排他的に利用される。
【００１７】
図３は、カメラボディ１００とアクセサリ３００の構成を模式的に示すブロック図である。カメラボディ１００のシュー座１０６には、２１個の電気接点ＰＢ１〜ＰＢ２１が設けられている。アクセサリ３００のコネクタ３０１には、２１個の電気接点ＰＡ１〜ＰＡ２１が設けられている。アクセサリ３００をカメラボディ１００に装着すると、シュー座１０６に設けられた２１個の電気接点ＰＢ１〜ＰＢ２１と、コネクタ３０１に設けられた２１個の電気接点ＰＡ１〜ＰＡ２１とが電気的に接続される。これらの接点は、カメラボディ１００からアクセサリ３００への電力供給や、カメラボディ１００とアクセサリ３００との間の信号の授受に用いられる。
【００１８】
カメラボディ１００は、ボディＣＰＵ１１０と、バッテリー１１１と、ＤＣ／ＤＣコンバータ１１２と、トランスミッタＩＣ１１３とを備える。ボディＣＰＵ１１０は、不図示のＲＯＭに予め格納された制御プログラムを読み込んで実行することにより、カメラボディ１００全体の制御を行う。バッテリー１１１は、カメラボディ１００やアクセサリ３００の電力源である二次電池である。バッテリー１１１は、電気接点ＰＢ１１、ＰＢ１２、ＰＡ１１、ＰＡ１２を介して、アクセサリ３００に電圧ＶＢＡＴを供給する。電圧ＶＢＡＴは、例えば５〜１２ボルト程度の電圧である。ＤＣ／ＤＣコンバータ１１２は、バッテリー１１１から供給される電圧ＶＢＡＴを電圧Ｖｃｃに変換する。ＤＣ／ＤＣコンバータ１１２は、電気接点ＰＢ１４を介して、アクセサリ３００に電圧Ｖｃｃを供給する。電圧Ｖｃｃは、約３．３ボルトの電圧であり、ＶＢＡＴとは異なる電圧値をとる。
【００１９】
トランスミッタＩＣ１１３は、映像信号をシリアライズして送信するＩＣである。トランスミッタＩＣ１１３は、電気接点ＰＢ１９、ＰＢ２０、ＰＡ１９、ＰＡ２０を介して、アクセサリ３００に映像信号をシリアライズした信号を送信する。カメラボディ１００が電源オン状態のとき、撮像素子１０２は所定時間（例えば６０分の１秒）ごとに繰り返し撮像を行い、撮像信号を出力する。撮像素子１０２から出力された撮像信号は、ボディＣＰＵ１１０に入力される。ボディＣＰＵ１１０は、入力された撮像信号に種々の画像処理を施した映像信号を出力する。ボディＣＰＵ１１０が出力した映像信号は、トランスミッタＩＣ１１３および背面モニタ１０５の少なくとも一方に入力される。背面モニタ１０５は、入力された映像信号に基づく映像（スルー画）を表示する。
【００２０】
トランスミッタＩＣ１１３は、入力された映像信号を、いわゆるＬＶＤＳ（Low Voltage Differential Signaling）に基づく一対の信号にシリアライズする。トランスミッタＩＣ１１３は、シリアライズした一対の信号を、電気接点ＰＢ１９、ＰＢ２０、ＰＡ１９、ＰＡ２０を介してアクセサリ３００に送信する。
【００２１】
アクセサリ３００は、アクセサリＣＰＵ３１０と、レシーバＩＣ３１３と、ドライバＩＣ３１４と、電源生成回路３１５とを備える。アクセサリＣＰＵ３１０は、不図示のＲＯＭに予め格納された制御プログラムを読み込んで実行することにより、アクセサリ３００全体の制御を行う。レシーバＩＣ３１３は、映像信号をシリアライズした信号を受信するＩＣである。レシーバＩＣ３１３は、電気接点ＰＢ１９、ＰＢ２０、ＰＡ１９、ＰＡ２０を介して、カメラボディ１００からＬＶＤＳに基づきシリアライズされた一対の信号を受信する。レシーバＩＣ３１３は、受信したＬＶＤＳに基づく一対の信号を、元の映像信号にデシリアライズする。レシーバＩＣ３１３は、デシリアライズした映像信号を、ドライバＩＣ３１４に出力する。
【００２２】
ドライバＩＣ３１４は、液晶パネル３０３の駆動制御を行う。ドライバＩＣ３１４は、入力された映像信号に基づく映像（スルー画）を、液晶パネル３０３に表示する。電源生成回路３１５は、電気接点ＰＢ１１、ＰＢ１２、ＰＡ１１、ＰＡ１２を介してカメラボディ１００から入力された電圧ＶＢＡＴを、種々の電圧に変換する。電源生成回路３１５は、変換した種々の電圧を、アクセサリ３００が有するアクセサリＣＰＵ３１０以外の各部に供給する。アクセサリ３００が有するアクセサリＣＰＵ３１０以外の各部は、電源生成回路３１５から供給される種々の電圧により動作する。
【００２３】
次に、シュー座１０６に設けられた電気接点と、コネクタ３０１に設けられた電気接点とについて説明する。
【００２４】
電気接点ＰＢ１１、ＰＢ１２、ＰＡ１１、ＰＡ１２は、カメラボディ１００がアクセサリ３００に電圧ＶＢＡＴを供給する接点である。以下、電気接点ＰＢ１１、ＰＢ１２、ＰＡ１１、ＰＡ１２により構成される信号線を、信号線ＶＢＡＴと称する。
【００２５】
電気接点ＰＢ１、ＰＢ２、ＰＡ１、ＰＡ２は、電圧ＶＢＡＴの基準電位を提供する接地端子となる接点である。以下、電気接点ＰＢ１、ＰＢ２、ＰＡ１、ＰＡ２により構成される信号線を、信号線ＰＧＮＤと称する。電圧ＶＢＡＴは、電圧Ｖｃｃと比べて高い電圧である。そのため、信号線ＰＧＮＤだけでは接地が不十分な場合は、後述するロック部材３２７が基準電位点として機能する。ロック部材３２７は、電圧Ｖｃｃの基準電位点としても機能する。さらに、ロック部材３２７が被ロック部材１０７と嵌合することで、シュー座１０６によりさらに基準電位が提供される。
【００２６】
電気接点ＰＢ３、ＰＢ５、ＰＢ１５、ＰＢ１８、ＰＢ２１、ＰＡ３、ＰＡ５、ＰＡ１５、ＰＡ１８、ＰＡ２１は、他の電気接点を流れる信号の基準電位を提供する接地端子となる接点である。以下、電気接点ＰＢ３、ＰＢ５、ＰＢ１５、ＰＢ１８、ＰＢ２１、ＰＡ３、ＰＡ５、ＰＡ１５、ＰＡ１８、ＰＡ２１により構成される信号線を、信号線ＳＧＮＤと称する。
【００２７】
電気接点ＰＢ４、ＰＡ４は、アクセサリＣＰＵ３１０がデータ通信用のクロック信号を生成しボディＣＰＵ１１０に出力する接点である。以下、電気接点ＰＢ４、ＰＡ４により構成される信号線を、信号線ＣＬＫと称する。
【００２８】
電気接点ＰＢ６、ＰＡ６は、上記のクロック信号に同期して授受されるデータ信号が流れる接点である。データ信号は、例えばボディＣＰＵ１１０がアクセサリＣＰＵ３１０に対して出力したり、アクセサリＣＰＵ３１０がボディＣＰＵ１１０に対して出力したりする。以下、電気接点ＰＢ６、ＰＡ６により構成される信号線を、信号線ＤＡＴＡと称する。
【００２９】
電気接点ＰＢ９、ＰＡ９は、信号線ＣＬＫ、ＤＡＴＡを用いたデータ通信を開始する際に、ボディＣＰＵ１１０がアクセサリＣＰＵ３１０に通信開始を指示する信号を出力する接点である。換言すると、ボディＣＰＵ１１０がクロック信号の出力要求を表す信号を出力する接点である。アクセサリＣＰＵ３１０はこの信号に応じて、信号線ＣＬＫにクロック信号を出力する。以下、電気接点ＰＢ９、ＰＡ９により構成される信号線を、信号線ＣＳと称する。
【００３０】
電気接点ＰＢ７、ＰＡ７は、ボディＣＰＵ１１０がカメラボディ１００にアクセサリ３００が装着されたか否かを検知するための接点である。電気接点ＰＡ７には、スイッチ３２０が接続されている。スイッチ３２０は、コネクタ３０１近傍に設けられたプッシュスイッチである。スイッチ３２０は、アクセサリ３００がカメラボディ１００に装着されるとオンされる。スイッチ３２０のオンオフに応じて、電気接点ＰＢ７の電位が変化する。ボディＣＰＵ１１０は、電気接点ＰＢ７の電位に基づき、アクセサリ３００の装着を検知する。以下、電気接点ＰＢ７、ＰＡ７により構成される信号線を、信号線ＤＥＴと称する。
【００３１】
電気接点ＰＢ８は、アクセサリ３００とは異なるアクセサリ（例えば撮影補助光を投射する発光装置等）がカメラボディ１００に装着された場合にボディＣＰＵ１１０が利用する電気接点である。アクセサリ３００は、電気接点ＰＢ８に対応する電気接点ＰＡ８を有しているが、電気接点ＰＡ８は開放状態であり、何も接続されていない。
【００３２】
電気接点ＰＢ１０、ＰＢ１６、ＰＢ１７、ＰＡ１０、ＰＡ１６、ＰＡ１７は、将来的な拡張の余地を残すために設けられている電気接点である。電気接点ＰＢ１０、ＰＢ１６、ＰＢ１７、ＰＡ１０、ＰＡ１６、ＰＡ１７は開放状態であり、何も接続されていない。
【００３３】
電気接点ＰＢ１４、ＰＡ１４は、カメラボディ１００がアクセサリ３００に電圧Ｖｃｃを供給する接点である。以下、電気接点ＰＢ１４、ＰＡ１４により構成される信号線を、信号線ＶＣＣと称する。
【００３４】
電気接点ＰＢ１９、ＰＢ２０、ＰＡ１９、ＰＡ２０は、トランスミッタＩＣ１１３がレシーバＩＣ３１３に、ＬＶＤＳに基づきシリアライズされた一対の信号を送信するための接点である。換言すると、カメラボディ１００がアクセサリ３００に映像信号を出力する接点である。電気接点ＰＢ１９、ＰＡ１９には、一対の信号のうち正の電圧を有する信号が伝送される。電気接点ＰＢ２０、ＰＡ２０には、一対の信号のうち負の電圧を有する信号が伝送される。以下、電気接点ＰＢ１９、ＰＡ１９により構成される信号線を、信号線ＴＸ＋と称する。また、電気接点ＰＢ２０、ＰＡ２０により構成される信号線を、信号線ＴＸ−と称する。信号線ＴＸ＋を流れる信号と、信号線ＴＸ−を流れる信号は、いわゆる差動信号であり、正負の方向に対称な波形を有する信号である。
【００３５】
電気接点ＰＢ１３、ＰＡ１３は、アクセサリＣＰＵ３１０がボディＣＰＵ１１０に、スルー画等の表示先を背面モニタ１０５と液晶パネル３０３との間で切り替えるよう要求するための接点である。換言すると、アクセサリＣＰＵ３１０がボディＣＰＵ１１０に、映像信号の送信開始および送信停止の指示を表す信号を出力するための接点である。アクセサリＣＰＵ３１０は、例えばスイッチ３２１がユーザにより押下されたり、近接センサ３１６によるユーザの近接状態の検知結果が変化したりしたことに応じて、電気接点ＰＡ１３に出力する信号の信号レベルを変化させる。ボディＣＰＵ１１０は、電気接点ＰＡ１３、ＰＢ１３に流れる信号の信号レベルが変化したことを検出すると、スルー画等の表示先を切り替えるための制御を行う。以下、電気接点ＰＢ１３、ＰＡ１３により構成される信号線を、信号線ＤＩＳＰと称する。
【００３６】
信号線ＴＸ＋、ＴＸ−には、例えば数ギガヘルツ程度の周波数の信号が流れる。信号線ＣＬＫには、例えば数百キロヘルツ〜数百メガヘルツ程度の周波数のクロック信号が流れる。信号線ＤＡＴＡには、信号線ＣＬＫに流れるクロック信号に同期したデータ信号が流れる。信号線ＣＳには、非通信時、Ｈレベルの信号が流れる。信号線ＣＬＫ、ＤＡＴＡを用いたデータ通信が開始されるタイミングで、信号線ＣＳに流れる信号の信号レベルはＬレベルに変化する。１回の通信が終了すると、信号線ＣＳに流れる信号の信号レベルはＨレベルに戻る。
【００３７】
信号線ＤＥＴには、Ｈレベルの信号が流れる。アクセサリ３００がカメラボディ１００に装着されると、Ｌレベルの信号が流れる。信号線ＤＥＴは、アクセサリ３００がカメラボディ１００によって装着されたか否かを示す信号が流れる信号線である。信号線ＤＩＳＰには、スルー画等が背面モニタ１０５に表示されているとき、Ｈレベルの信号が流れる。スルー画等の表示先を液晶パネル３０３に切り替えるとき、信号線ＤＩＳＰに流れる信号の信号レベルはＬレベルに変化する。その後、液晶パネル３０３にスルー画等が表示されている間、信号線ＤＩＳＰにはＬレベルの信号が継続して流れる。つまり、スルー画像等の表示先を切り替える信号をボディＣＰＵ１１０に送信する信号線である。信号線ＤＩＳＰは、信号線ＴＸ＋、ＴＸ−を通してカメラに流れる映像信号を、背面モニタ１０５または液晶パネル３０３に送信する際の送信開始および送信停止の指示を出す信号を流す信号線である。
【００３８】
図４（ａ）は、シュー座１０６の詳細な構成を示す斜視図である。また図４（ｂ）は、シュー座１０６をコネクタ３０１の挿入方向から見た平面図である。図５（ａ）は、コネクタ３０１をＹ軸上方向から見た斜視図である。また図５（ｂ）は、コネクタ３０１をＹ軸下方向から見た斜視図である。
【００３９】
コネクタ３０１は、平板状の挿入部３２２を有する。挿入部３２２は、対向する一対の幅広面３２３、３２４を有する。以下の説明において、図５（ａ）に示す幅広面３２３を上面３２３と呼ぶ。また、図５（ｂ）に示す幅広面３２４を下面３２４と呼ぶ。上面３２３は、アクセサリ３００をカメラボディ１００に装着したとき、カメラボディ１００の筐体上面２０と同一方向を向く面である。下面３２４は、アクセサリ３００をカメラボディ１００に装着したとき、カメラボディ１００の筐体上面２０とは反対の方向を向く面である。
【００４０】
上面３２３には、９個の電気接点ＰＡ１３〜ＰＡ２１が、上面３２３の長辺方向３２５に沿って一列に並んで設けられている。長辺方向３２５とは、図１、図２、図４、図５におけるＸ軸方向である。下面３２４には、１２個の電気接点ＰＡ１〜ＰＡ１２が、長辺方向３２５に沿って一列に並んで設けられている。
【００４１】
シュー座１０６は、挿入部３２２の形状に合わせて形成された凹部１２２を有する。凹部１２２には、挿入部３２２を挿入し固定することが可能である。「カメラボディ１００にアクセサリ３００を装着する」とは、シュー座１０６の凹部１２２にコネクタ３０１の挿入部３２２を挿入し、アクセサリ３００のロック部材３２７がカメラボディの被ロック部材１０７と勘合することを指す。
【００４２】
凹部１２２は、対向する一対の幅広面１２３、１２４を有する。以下の説明において、凹部１２２が有する一対の幅広面１２３、１２４のうち、挿入部３２２を凹部１２２に挿入したとき挿入部３２２の上面３２３と対向する幅広面１２３を、上面１２３と呼ぶ。また、他方の幅広面１２４、すなわち挿入部３２２を凹部１２２に挿入したとき挿入部３２２の下面３２４と対向する幅広面を、下面１２４と呼ぶ。
【００４３】
凹部１２２の上面１２３には、９個の電気接点ＰＢ１３〜ＰＢ２１が、上面１２３の長辺方向３２５に沿って一列に並んで設けられている。下面１２４には、１２個の電気接点ＰＢ１〜ＰＢ１２が、長辺方向３２５に沿って一列に並んで設けられている。
【００４４】
カメラボディ１００にアクセサリ３００を装着すると、挿入部３２２の上面３２３に設けられた９個の電気接点ＰＡ１３〜ＰＡ２１の各々と、凹部１２２の上面１２３に設けられた９個の電気接点ＰＢ１３〜ＰＢ２１の各々とが、それぞれ物理的に接触する。これにより、９個の電気接点ＰＡ１３〜ＰＡ２１の各々と、９個の電気接点ＰＢ１３〜ＰＢ２１の各々とが、電気的に接続される。
【００４５】
同様に、カメラボディ１００にアクセサリ３００を装着すると、挿入部３２２の下面３２４に設けられた１２個の電気接点ＰＡ１〜ＰＡ１２の各々と、凹部１２２の下面１２４に設けられた１２個の電気接点ＰＢ１〜ＰＢ１２の各々とが、それぞれ物理的に接触する。これにより、１２個の電気接点ＰＡ１〜ＰＡ１２の各々と、１２個の電気接点ＰＢ１〜ＰＢ１２の各々とが、電気的に接続される。
【００４６】
図６は、挿入部３２２の断面を模式的に示す図である。図６では、長辺方向３２５に平行であり、且つ電気接点ＰＡ１〜ＰＡ２１を含むように設定された断面を図示している。
【００４７】
挿入部３２２は、対向する一対の上面３２３と下面３２４とを有する平板状の基材３２６から成る。上面３２３には、９個の電気接点ＰＡ１３〜ＰＡ２１が長辺方向３２５に沿って一列に配列されている。下面３２４には、１２個の電気接点ＰＡ１〜ＰＡ１２が長辺方向３２５に沿って一列に配列されている。以下の説明では、下面３２４に一列に配列された１２個の電気接点ＰＡ１〜ＰＡ１２を、第１接点群と呼ぶ。同様に、上面３２３に一列に配列された９個の電気接点ＰＡ１３〜ＰＡ２１を、第２接点群と呼ぶ。
【００４８】
第２接点群は、第１接点群に対向する位置に配列されている。具体的には、第２接点群は、下面３２４において第１接点群が配置された領域を、Ｙ軸方向に水平移動させて上面３２３に重ね合わせた領域の内部に配置されている。なお、第１接点群と第２接点群との位置関係は、完全に厳密に対向していなくてもよい。例えば図５において、第２接点群に含まれる各電気接点は、それぞれＺ軸方向における位置が第１接点群に含まれる各電気接点と同一の位置になるように配置されているが、これが多少ずれていても、第２接点群は第１接点群に対向する位置に配列されているといえる。
【００４９】
第１接点群に含まれる各電気接点と、第２接点群に含まれる各電気接点は、図６に図示した断面において千鳥配列されている。換言すると、下面３２４には、第１接点群に含まれる各電気接点が互いに所定の間隙をもって一列に配列されている。そして、上面３２３には、第２接点群が、第１接点群に含まれる各電気接点の間隙に位置するように配列されているということである。
【００５０】
次に、各電気接点の配列について具体的に説明する。
【００５１】
一列に配列された第２接点群の紙面右側の端部には、右端から順に、電気接点ＰＡ２１、ＰＡ２０、ＰＡ１９、ＰＡ１８が配列される。つまり、電気接点ＰＡ１９は電気接点ＰＡ１８に隣接して配列され、電気接点ＰＡ２０は電気接点ＰＡ１９に隣接して配列され、電気接点ＰＡ２１は電気接点ＰＡ２０に隣接して配列される。また、電気接点ＰＡ５は電気接点ＰＡ１８と電気接点ＰＡ１９との間隙に位置するように配置され、電気接点ＰＡ４は電気接点ＰＡ１９と電気接点ＰＡ２０との間隙に位置するように配置され、電気接点ＰＡ３は電気接点ＰＡ２０と電気接点ＰＡ２１との間隙に位置するように配置される。このような配列としたのは、高周波信号が流れる電気接点と他の電気接点との間で、ノイズが発生するのを防止するためである。
【００５２】
まず第２接点群に注目すると、第２接点群の中で最も周波数が高い信号が流れる電気接点は、映像信号が流れる電気接点ＰＡ１９、ＰＡ２０である。そこで、電気接点ＰＡ１９、ＰＡ２０の両隣に、接地端子である電気接点ＰＡ１８、ＰＡ２１を配置した。これにより、第２接点群の他の電気接点で発生したノイズが、電気接点ＰＡ１９、ＰＡ２０を流れる映像信号に乗ることを防止できる。逆に、電気接点ＰＡ１９、ＰＡ２０を流れる映像信号により発生したノイズが、第２接点群の他の電気接点を流れる信号に乗ることも防止される。
【００５３】
次に第１接点群に注目すると、第１接点群の中で最も周波数が高い信号が流れる電気接点は、データ通信のためのクロック信号が流れる電気接点ＰＡ４である。そこで、電気接点ＰＡ４の両隣に、接地端子である電気接点ＰＡ３、ＰＡ５を配置した。これにより、第１接点群の他の電気接点で発生したノイズが、電気接点ＰＡ４を流れるクロック信号に乗ることを防止できる。逆に、電気接点ＰＡ４を流れるクロック信号により発生したノイズが、第１接点群の他の電気接点を流れる信号に乗ることも防止される。
【００５４】
次に、第１接点群と第２接点群との関係について注目すると、高周波信号（クロック信号や映像信号）が流れる電気接点ＰＡ４、ＰＡ１９、ＰＡ２０は、接地端子である電気接点ＰＡ３、ＰＡ５，ＰＡ１８、ＰＡ２１により囲まれている。換言すると、高周波信号が流れる電気接点ＰＡ４、ＰＡ１９、ＰＡ２０は、接地端子である電気接点ＰＡ３、ＰＡ５、ＰＡ１８、ＰＡ２１により、紙面左右方向についても紙面上下方向についても他の電気接点から隔てられている。これにより、電気接点ＰＡ１９、ＰＡ２０と、第１接点群に含まれる電気接点ＰＡ３、ＰＡ４、ＰＡ５以外の電気接点とが互いに他方へのノイズ源となることを防止することができる。同様に、電気接点ＰＡ４と、第２接点群に含まれる電気接点ＰＡ１８、ＰＡ１９、ＰＡ２０、ＰＡ２１以外の電気接点とが互いに他方へのノイズ源となることも防止することができる。
【００５５】
一列に配列された第１接点群の紙面左側の端部には、電気接点ＰＡ１１、ＰＡ１２が配列される。換言すると、電気接点ＰＡ１１、ＰＡ１２は、一列に配列された第１接点群の２つの端部のうち、電気接点ＰＡ１８、ＰＡ１９、ＰＡ２０、ＰＡ２１が配置された第２接点群の端部から遠い方の端部に配置される。このような配列としたのは、電気接点ＰＡ１１、ＰＡ１２に流れる電流に起因して生じるノイズ（電気接点ＰＡ１１、ＰＡ１２に流れる電流が、アクセサリ３００の消費電力の増減に応じて増減することにより生じるノイズ）が、電気接点ＰＡ１９、ＰＡ２０に流れる高周波信号（映像信号）に影響を及ぼすのを防止するためである。
【００５６】
一列に配列された第２接点群の紙面左側の端部には、電気接点ＰＡ１３が配列される。換言すると、電気接点ＰＡ１３は、一列に配列された第２接点群の２つの端部のうち、電気接点ＰＡ１１、ＰＡ１２が配置された第１接点群の端部に近い方の端部に配置される。このような配列としたのは、電気接点ＰＡ１３を流れる信号は、他の電気接点を流れる信号に比べて、ノイズに対する耐性が高いためである。電気接点ＰＡ１３には、スルー画等の表示先が背面モニタ１０５のときにはＨレベルの信号が流れ、スルー画等の表示先が液晶パネル３０３のときにはＬレベルの信号が流れる。つまり、電気接点ＰＡ１３には、比較的長い期間、信号レベルが変化しない信号が流れる。電気接点ＰＡ１３にはこのような信号しか流れないので、例えばローパスフィルタを設置する等の方法により、ノイズを容易に除去することができる。従って、電気接点ＰＡ１３を、電気接点ＰＡ１１、ＰＡ１２に近い位置に配置しても、他の電気接点に比べて、ノイズの悪影響が少なくて済む。
【００５７】
本実施形態では更に、電気接点ＰＡ１４を、電気接点ＰＡ１３に隣接して配置している。電気接点ＰＡ１４に流れる電流は、アクセサリＣＰＵ３１０の消費電力の増減に応じて増減する。これに伴い、電気接点ＰＡ１４からはノイズが発生する可能性がある。しかしながら、前述の通り、電気接点ＰＡ１３はノイズに対する耐性が高い信号が流れるので、電気接点ＰＡ１４から生じたノイズの悪影響は極めて限定される。
【００５８】
上述した第１の実施の形態によるカメラシステムによれば、次の作用効果が得られる。
（１）アクセサリ３００は、カメラボディ１００から映像信号が入力される電気接点ＰＡ２０（第１映像信号入力端子）と、カメラボディから電圧Ｖｃｃ（第１の電圧）が供給される電気接点ＰＡ１４（第１電源端子）と、アクセサリ３００からカメラボディに対して映像信号の送信開始および送信停止の指示を表す指示信号を出力する電気接点ＰＡ１３（映像指示信号端子）と、映像信号に対応する基準電位を提供する電気接点ＰＡ１５（第１接地端子）および電気接点ＰＡ２１（第２接地端子）と、を含む複数の電気接点（端子）を備える。それら複数の電気接点は、上面３２３（第１面）の配列方向において、電気接点ＰＡ１３、電気接点ＰＡ１４、電気接点ＰＡ１５、電気接点ＰＡ２０、電気接点ＰＡ２１の順に並んで配置される。このようにしたので、電気接点間で生じるノイズの影響を抑止することができる。
【００５９】
（２）アクセサリ３００が有する複数の電気接点には、カメラボディにクロック信号（出力信号）を出力する電気接点ＰＡ４（信号出力端子）と、クロック信号に対応する基準電位を提供する電気接点ＰＡ５（第３接地端子）および電気接点ＰＡ３（第４接地端子）とがさらに含まれる。それら複数の電気接点は、上面３２３（第１面）とは異なる下面３２４（第２面）の配列方向において、電気接点ＰＡ５、電気接点ＰＡ４、電気接点ＰＡ３の順に並んで配置される。また、電気接点ＰＡ５は、電気接点ＰＡ１５と電気接点ＰＡ２０との間隙に対向配置され、電気接点ＰＡ３は、電気接点ＰＡ２０と電気接点ＰＡ２１との間隙に対向配置される。このようにしたので、電気接点間で生じるノイズの影響を抑止することができる。
【００６０】
（３）アクセサリ３００が有する複数の電気接点には、カメラボディ１００から電圧Ｖｃｃとは異なる電圧ＶＢＡＴ（第２の電圧）が供給される電気接点ＰＡ１１および電気接点ＰＡ１２（第２電源端子）がさらに含まれる。それら複数の電気接点は、下面３２４の配列方向において、電気接点ＰＡ１２、電気接点ＰＡ１１、電気接点ＰＡ５、電気接点ＰＡ４、電気接点ＰＡ３の順に並んで配置される。また、電気接点ＰＡ２０は、上面３２３の配列方向の一端側に配置され、電気接点ＰＡ１３および電気接点ＰＡ１４は、上面３２３の配列方向において他端側に配置され、電気接点ＰＡ１１および電気接点ＰＡ１２は、下面３２４の配列方向において他端側に配置される。このようにしたので、電気接点間で生じるノイズの影響を抑止することができる。
【００６１】
（４）アクセサリ３００が有する複数の電気接点は、電気接点ＰＡ１３、電気接点ＰＡ１４、電気接点ＰＡ１５、電気接点ＰＡ２０、および電気接点ＰＡ２１が上面３２３の配列方向に順に並んで配列される。また、電気接点ＰＡ１２、電気接点ＰＡ１１、電気接点ＰＡ５、電気接点ＰＡ４、および電気接点ＰＡ３、が下面３２４の配列方向に順に並んで配置される。このようにしたので、電気接点間で生じるノイズの影響を抑止することができる。
【００６２】
次のような変形も本発明の範囲内であり、変形例の一つ、もしくは複数を上述の実施形態と組み合わせることも可能である。
【００６３】
（変形例１）
本発明は、図１に示したものとは異なるカメラシステムに適用することもできる。例えば、クイックリターンミラーを備えた、いわゆる一眼レフレックス方式のカメラシステムにも本発明を適用することが可能である。また、レンズ交換式のカメラシステムだけでなく、シュー座を備えたレンズ一体式のカメラシステムにも本発明を適用することが可能である。
【００６４】
（変形例２）
上述した実施の形態では、いわゆる外付け型の電子ビューファインダーユニットに本発明を適用した例を説明したが、本発明はこのような実施の形態に限定されない。例えば、より大型の表示画面を備えた、接眼利用を想定しない表示用アクセサリに本発明を適用することもできる。
【００６５】
（変形例３）
上述した実施の形態では、アクセサリ３００内部には液晶パネル３０３が設けられているものとして説明したが、この液晶パネルの代わりに有機ＥＬパネルを用いるようにしても良い。
【００６６】
（変形例４）
上述した実施の形態では、電気接点ＰＢ１６、ＰＢ１７、ＰＡ１６、ＰＡ１７は、将来的な拡張の余地を残すために設けられている電気接点として説明したが、本発明はこのような実施の形態に限定されない。電気接点ＰＢ１６、ＰＢ１７、ＰＡ１６、ＰＡ１７を、電気接点ＰＢ１９、ＰＢ２０、ＰＡ１９、ＰＡ２０と同様に、カメラボディ１００がアクセサリ３００に映像信号を出力する接点としてもよい。その結果、カメラボディ１００からアクセサリ３００に送信する映像信号がより高精細な画像を送信できるようになったり、同じ画質の映像信号を送信する場合でも、より高速に映像信号を送信したりすることができる。さらに、電気接点ＰＢ１６、ＰＢ１７、ＰＡ１６、ＰＡ１７に対向配置される電気接点ＰＢ７、ＰＢ８、ＰＡ７、ＰＢ８は、信号レベルが頻繁に変化する電気接点ではない。電気接点ＰＢ７、ＰＡ７は、アクセサリ３００がカメラボディ１００に装着されているときは、Ｌレベルに保たれるため、信号レベルは変化しない。電気接点ＰＢ８、ＰＡ８は、開放状態であるため、信号レベルは変化しない。そのため、電気接点ＰＢ１６、ＰＢ１７、ＰＡ１６、ＰＡ１７に対して、信号線電気接点間で生じるノイズの影響を抑止することができる。
【００６７】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００６８】
１…カメラシステム、１００…カメラボディ、１０２…撮像素子、１０５…背面モニタ、１０６…シュー座、１１０…ボディＣＰＵ、１１３…トランスミッタＩＣ、２００…交換レンズ、３００…アクセサリ、３０１…コネクタ、３０３…液晶パネル、３１０…アクセサリＣＰＵ、３１３…レシーバＩＣ、３１５…電源生成回路
【図１】
2015076629.tif 000003
【図２】
2015076629.tif 000004
【図３】
2015076629.tif 000005
【図４】
2015076629.tif 000006
【図５】
2015076629.tif 000007
【図６】
2015076629.tif 000008